【手続補正書】
【提出日】平成30年7月6日(2018.7.6)
【手続補正１】
【補正対象書類名】特許請求の範囲
【補正対象項目名】全文
【補正方法】変更
【補正の内容】
【特許請求の範囲】
【請求項１】
異方性の表面近傍構造物を有する弾性部材であって、
エラストマー材料で構成された単体を含み、前記単体は、
下面および上面を有する支持層と、
前記支持層の上面から延びる複数の隆起部材であって、前記複数の隆起部材はそれぞれ前記上面に沿って伸長しかつ先端部で終端する複数の隆起部材と、
前記複数の隆起部材の先端部に接合された接触薄膜層と
を備える、弾性部材。
【請求項２】
請求項１に記載の弾性部材において、
前記複数の隆起部材のうち隣接する隆起部材は、間にある谷部によって分離されている、弾性部材。
【請求項３】
請求項２に記載の弾性部材において、
前記複数の隆起部材のうち隣接する隆起部材間に画定された前記谷部はそれぞれ、共通する長方形の断面を有している、弾性部材。
【請求項４】
請求項１〜３のいずれか一項に記載の弾性部材において、
前記複数の隆起部材は、平行に離間した関係で延びている、弾性部材。
【請求項５】
請求項１〜４のいずれか一項に記載の弾性部材において、
前記複数の隆起部材はそれぞれ、その全長に沿って一定である幅を有している、弾性部材。
【請求項６】
請求項１〜５のいずれか一項に記載の弾性部材において、
前記複数の隆起部材は、共通の幅を有している、弾性部材。
【請求項７】
請求項１〜６のいずれか一項に記載の弾性部材において、
前記複数の隆起部材は、共通する長方形の断面を有している、弾性部材。
【請求項８】
請求項１〜７のいずれか一項に記載の弾性部材において、
前記弾性部材はエラストマー材料で構成され、前記エラストマー材料の平坦なサンプルは滑り摩擦特性を示し、前記弾性部材は前記平坦なサンプルの滑り摩擦特性よりも１．１〜４．０倍だけ大きくなる滑り摩擦特性を示す表面近傍構造物を有している、弾性部材。
【請求項９】
請求項１〜７のいずれか一項に記載の弾性部材において、
前記弾性部材はエラストマー材料で構成され、前記エラストマー材料の平坦なサンプルは滑り摩擦特性を示し、前記弾性部材は前記平坦なサンプルの滑り摩擦特性の０．９９〜０．２倍だけ小さくなる滑り摩擦特性を示す表面近傍構造物を有している、弾性部材。
【請求項１０】
請求項１〜９のいずれか一項に記載の弾性部材において、
前記弾性部材は、前記接触薄膜層との接触面の滑り接触時において負荷状態の下で接触領域の前縁に隣接する前記接触薄膜層のゆがみを引き起こすように組み合わせて選択される材料特性、隆起幅、隆起間隔、隆起高さ、および接触薄膜厚さを有するように構成されている、弾性部材。
【請求項１１】
異方性の表面近傍構造物を有する弾性部材であって、
下面および上面を有し、前記下面と前記上面との間の厚さを画定する支持層と、
前記支持層の上面から延びる複数の隆起部材であって、前記複数の隆起部材はそれぞれ前記上面に沿って伸長しかつ２μｍ〜１０００μｍの幅を有し、前記複数の隆起部材はそれぞれ前記幅の２〜７倍の距離だけ延びかつ先端部で終端し、前記複数の隆起部材のうち隣接する隆起部材は前記幅の２〜１５倍の間隔で分離されている複数の隆起部材と、
前記複数の隆起部材の先端部に接合され、前記隆起部材の幅の０．２５〜５倍の厚さを有する接触薄膜層と
を備える、弾性部材。
【請求項１２】
請求項１１に記載の弾性部材において、
前記複数の隆起部材はそれぞれ、５μｍ〜１００μｍの幅を有している、弾性部材。
【請求項１３】
請求項１１または１２に記載の弾性部材において、
前記複数の隆起部材はそれぞれ前記上面に沿って均一に離間され、前記複数の隆起部材のうち隣接する隆起部材間の間隔はそれぞれの谷部を画定している、弾性部材。
【請求項１４】
請求項１１〜１３のいずれか一項に記載の弾性部材において、
前記複数の隆起部材のうち隣接する隆起部材は、１００μｍ〜１３０μｍの
間隔で分離されている、弾性部材。
【請求項１５】
請求項１１〜１４のいずれか一項に記載の弾性部材において、
前記複数の隆起部材はそれぞれ、長方形の断面を有している、弾性部材。
【請求項１６】
高められた摩擦特性を提供するための表面近傍構造物を有する弾性部材であって、
下面および上面を有する支持層と、
支持部材の配列であって、前記配列の各支持部材は前記支持層の上面から距離（Ｄ）だけ延びかつ断面形状を有し、離間された支持部材の配列のうち隣接する支持部材は間隔（Ｓ）で分離されている支持部材の配列と、
複数の支持部材の先端部に接合され、厚さを有する薄膜層と
を含み、
前記支持層、前記支持部材の配列、および前記薄膜層は、それぞれの材料特性を有する材料で構成され、
材料、距離、前記断面形状、前記間隔、および前記薄膜層の厚さは、前記弾性部材の負荷状態に応じて、前記支持部材の配列および前記薄膜層の少なくとも１つの折り重なりを生じさせるように組み合わせて選択される、弾性部材。
【請求項１７】
請求項１６に記載の弾性部材において、
前記弾性部材はエラストマー材料で構成され、前記エラストマー材料の平坦なサンプルは滑り摩擦特性を示し、前記弾性部材は前記平坦なサンプルの滑り摩擦特性よりも１．１〜４．０倍だけ大きくなる滑り摩擦特性を示す表面近傍構造物を有している、弾性部材。
【請求項１８】
請求項１６に記載の弾性部材において、
前記弾性部材はエラストマー材料で構成され、前記エラストマー材料の平坦なサンプルは滑り摩擦特性を示し、前記弾性部材は前記平坦なサンプルの滑り摩擦特性の０．９９〜０．２倍だけ小さくなる滑り摩擦特性を示す表面近傍構造物を有している、弾性部材。
【請求項１９】
高められた静摩擦特性を与える表面近傍構造物を有する弾性部材であって、
下面および上面を有し、前記下面と前記上面との間の厚さを画定する支持層と、
配列として配置された複数の小繊維であって、前記複数の小繊維はそれぞれ前記支持層の上面から延びかつ先端部で終端する複数の小繊維と、
角張った接合部で前記複数の小繊維の先端部に接合された接触薄膜層と
を備える、弾性部材。
【請求項２０】
請求項１９に記載の弾性部材において、
前記角張った接合部はそれぞれ半径を有するものとして近似的に表わされるフィレットを画定し、前記半径は２マイクロメートル未満である、弾性部材。
【請求項２１】
請求項１９に記載の弾性部材において、
前記複数の小繊維はそれぞれ幅を有し、前記角張った接合部はそれぞれ前記小繊維の幅の５０％未満の半径を有するものとして近似的に表わされるフィレットを画定している、弾性部材。
【請求項２２】
請求項１９に記載の弾性部材において、
前記複数の小繊維はそれぞれ幅を有し、前記角張った接合部はそれぞれ前記小繊維の幅の２０％未満の半径を有するものとして近似的に表わされるフィレットを画定している、弾性部材。
【請求項２３】
請求項１９〜２２のいずれか一項に記載の弾性部材において、
前記角張った接合部は、
未硬化の接触薄膜層を部分的に硬化させて、それを液体状態から固体であるが完全には硬化していない状態にし、
固体であるが完全には硬化していない接触薄膜層を前記複数の小繊維の先端部と接触させ、
前記接触薄膜層をさらに硬化させて、前記小繊維の接触薄膜層への接合を引き起こすことによって形成される、弾性部材。
【請求項２４】
請求項１９〜２２のいずれか一項に記載の弾性部材において、
前記角張った接合部は、前記弾性部材を、前記角張った接合部を含むように一体部材とすることによって形成される、弾性部材。
【請求項２５】
請求項１９〜２４のいずれか一項に記載の弾性部材において、
前記複数の小繊維はそれぞれ、前記接触薄膜層との接合部に隣接する変化しない一定の断面を有している、弾性部材。
【請求項２６】
請求項１９〜２５のいずれか一項に記載の弾性部材において、
前記弾性部材はエラストマー材料で構成され、前記エラストマー材料の平坦
なサンプルは滑り摩擦特性を示し、前記弾性部材は前記平坦なサンプルの滑り摩擦特性よりも１．１〜２．５倍だけ大きくなる滑り摩擦特性を示す表面近傍構造物を有している、弾性部材。
【請求項２７】
請求項１９〜２６のいずれか一項に記載の弾性部材において、
前記弾性部材はエラストマー材料で構成され、前記エラストマー材料の平坦なサンプルは静摩擦特性を示し、前記弾性部材は前記平坦なサンプルの静摩擦特性よりも１．１〜３．０倍だけ大きくなる静摩擦特性を示す表面近傍構造物を有している、弾性部材。
【請求項２８】
請求項１９〜２７のいずれか一項に記載の弾性部材において、
前記配列は、四角形パターンで配置された小繊維を含む、弾性部材。
【請求項２９】
請求項１９〜２７のいずれか一項に記載の弾性部材において、
前記配列は、六角形パターンで配置された小繊維を含む、弾性部材。